(57)【要約】【課題】本発明はコピー機等のカートリッジその他電気製品又は瓶等をパルプモールドによる方形包装材にロックして厳重包装し、包装を解体し難く部品収容に適したパルプモールド包装体におけるロック機構を得ることを目的とする。【解決手段】パルプモールド方形板１を筒状に折曲げて対接する対向縁２’，２”の一方に筒面４に重合する突出片３を設けてなる包装材において、該突出片３に筒面４に向かう先細り中空突起５を形成し、該突起５の基部に上記突出片３に沿って切欠溝５’を形成し、筒面４に上記突起５の挿入透孔６を穿設し、該透孔６の内周６’に上記切欠溝５’に係合する部分６”を形成してなる包装材におけるロック機構。【選択図】図４
2008050049.tif 000002
【特許請求の範囲】
【請求項１】
パルプモールド方形板を筒状に折曲げて対接する対向縁の一方に筒面に重合する突出片を設けてなる包装材において、
該突出片に筒面に向かう先細り中空突起を形成し、
該突起の基部に上記突出片に沿って切欠溝を形成し、
筒面に上記突起の挿入透孔を穿設し、該透孔の内周に上記切欠溝に係合する部分を形成してなる包装材におけるロック機構。
【請求項２】
上記中空突起が中空錐形突起である請求項１記載の包装材におけるロック機構。
【請求項３】
上記係合する部分が上記透孔の内周である請求項１又は２記載の包装材におけるロック機構。
【請求項４】
上記中空突起の基部から上記突出片の外側フランジに至る開口部を形成した請求項１〜３のいずれかに記載の包装材におけるロック機構。
【発明の詳細な説明】
【技術分野】
【０００１】
本発明はパルプモールドによる方形包装材の閉鎖部におけるロック機構に関するものである。
【背景技術】
【０００２】
従来、パルプモールドによる方形包装材は段ボール箱内に収容し、段ボール箱の蓋を粘着テープ等で閉鎖ロックし収容品の安定包装を目的とするものであった（例えば特許文献１、２、３）
【０００３】
【特許文献１】特開２０００−１５３８７９号
【特許文献２】特開２０００−２５５６４０号
【特許文献３】特開２００３−１７５９８３号
【発明の開示】
【発明が解決しようとする課題】
【０００４】
本発明は電気部品や瓶類等を固定包装するに適したパルプモールド包装体におけるロック機構を得ることを目的とする。
【課題を解決するための手段】
【０００５】
上記の目的を達成するため本発明は
第１にパルプモールド方形板を筒状に折曲げて対接する対向縁の一方に筒面に重合する突出片を設けてなる包装材において、該突出片に筒面に向かう先細り中空突起を形成し、
該突起の基部に上記突出片に沿って切欠溝を形成し、筒面に上記突起の挿入透孔を穿設し、該透孔の内周に上記切欠溝に係合する部分を形成してなる包装材におけるロック機構、
第２に上記中空突起が中空錐形突起である上記第１発明記載の包装材におけるロック機構、
第３に上記係合する部分が上記透孔の内周である上記第１又は第２発明記載の包装材におけるロック機構、
第４に上記中空突起の基部から上記突出片の外側フランジに至る開口部を形成した上記第１〜第３発明のいずれかに記載の包装材におけるロック機構、
によって構成される。
【０００６】
従って方形パルプモールドに３条の折曲げ線を形成し、該折曲げ線から折曲げて４角筒を形成し、
【０００７】
４角筒内に電気部品や瓶等を収容し、
【０００８】
該４角筒の対接対向縁において
【０００９】
一方の対向縁に形成した突出片を他方の対向縁に接続する方形筒面に重合し、先細り中空突起を該筒面に穿設した挿入透孔内に押込むと、
【００１０】
上記突起の基部に形成した切欠溝内に該透孔の内周の一部が進入して中空突起は該透孔と係合して外れず、上記突出片と上記筒面とはロックされる。
【発明の効果】
【００１１】
本発明は上述のように構成したのでパルプモールドによる折り曲げ４角筒内に電気部品等を収容した後、上記対向縁を経て上記突出片を該片に重合する筒面に形成した挿入透孔に圧入し、該透孔の一部が上記突出片の基部に形成した切欠き溝に引掛って上記突出片が上記筒面の挿入透孔にロックされて外れないから、
【００１２】
上記４角筒内の電気部品や瓶等をパルプモールド４角筒内に安全確実に包装し得る効果がある。
【発明を実施するための最良の形態】
【００１３】
金網型によって故紙パルプを抄造してパルプモールドによる方形板１を形成し、等間隔に３条の折曲げ線１ａ，１ｂ，１ｃから折曲げて図１（ハ）図及び図４に示す４角筒包装材を形成する。
【００１４】
折曲げ線１ａ，１ｂ，１ｃによって等間隔に区画された長方形板４’，４’，４’のそれぞれ両端部には収容されるコピー機のカートリッジや瓶等の収容品７の摺動防止突起４”，４”，４”がそれぞれ形成され、
【００１５】
該突起４”，４”，４”のそれぞれ中間部には上記収容品７の縦横固定用突起４ａ，４ａが突設される。
【００１６】
本発明では上記４角筒２の中心線ｃと平行方向の対向縁２’，２”において、一方の対向縁２’に長方形突出片３を設け、これをほぼ９０度曲げて該突出片３を対向側筒面４即ち対向側長方形板に重合させる（図１（ハ）図）。
【００１７】
上記突出片３には図３に示すように上記対向側長方形板（対向側筒面４）に２個の先細り中空突起５，５を形成する。
【００１８】
上記先細り中空突起５，５は先端球形円錐形又は先端弧形角錐形であって基部即ち上記突出片３と接続する部分５”に切欠溝５’を形成する。
【００１９】
従って図１（イ）（ロ）図に示すように収容品７を摺動防止突起４”，４”及び縦横固定容起４ａ，４ａで支持して図１（ハ）図に示すように４角筒２による包装材内に収容し、
【００２０】
突出片３を上記筒面４に重合し、先細り中空突起５を上記筒面４に形成した挿入透孔６に手で押入すると、図２（ホ）図に示すように該突起５の基部５”に形成した切欠溝５’内に挿入透孔６の内周６’の係合部分６”が進入して引掛って外れずロックされる。
【００２１】
図２（イ）図及び図３に示すように中空突起５，５の基部即ち上記突出片３との接続部５”から外側のフランジ３”に向って開口部３’を形成することによって上記切欠溝５’と上記透孔６との係合部分６”との引掛りを眼で確認することができる。
【００２２】
図２（イ）（ロ）（ホ）図、図３に示すように上記突出片３の外縁に形成したフランジ３”が筒面を押圧することによって弾力を生じ、切欠溝５’と透孔６の係合部分６”との係合圧力を強化し、上記ロックを強化する。
【産業上の利用可能性】
【００２３】
本発明ではパルプモールド製４角形包装材において、上記ロック機構を有する包装材を用いることで、開封困難なことから、再生品や海賊版のような粗悪品の流通を防止し得るものである。
【図面の簡単な説明】
【００２４】
【図１】（イ）図は本発明の包装材の側面図、（ロ）図は包装材の折曲げ状態の側面図、（ハ）図は４角筒に折曲げた状態の側面図である。
【図２】（イ）図は先細り中空突起の平面図、（ロ）図は（イ）図のＡ−Ａ線による縦断側面図、（ハ）図は挿入透孔の平面図、（ニ）図は（ハ）図Ｂ−Ｂ線による縦断面図、（ホ）図は挿入透孔に先細り中空突起を挿入し、該透孔を引掛り溝に係合させた状態の縦断面図である。
【図３】コピー機のカートリッジを包装しようとする包装材の斜視図である。
【図４】図３に示す包装材を４角筒に折曲げ、かつロックした状態の斜視図である。斜視図である。
【符号の説明】
【００２５】
１          パルプモールドによる方形板
２          ４角筒
２’，２”  対向縁
３          突出片
４          筒面
５          先細り中空突起
５’        切欠溝
６          挿入透孔
６’        内周
６”        係合部分
【図１】
2008050049.tif 000003
【図２】
2008050049.tif 000004
【図３】
2008050049.tif 000005
【図４】
2008050049.tif 000006